(57)【特許請求の範囲】
【請求項１】
ケースと、
前記ケースに回動可能に軸支され、前記ケースに収容されて閉じられた第１状態と、前記第１状態から開いて停止した第２状態と、前記第２状態よりさらに開いて停止した第３状態とを少なくともとるフックと、
前記ケースに回動可能に軸支される第１リンクと、
前記ケースに回動可能に軸支され、前記フックおよび前記第１リンクに係合可能な第２リンクと、
前記フックを開方向に回転させるために前記第１リンクを付勢する第１ばねと、
前記フックを閉方向に回転するよう付勢する第２ばねと、
前記第１リンクに向かって張り出した張出部と、を備え、
前記張出部は、前記フックが前記第１状態をとる場合に、前記第１リンクと係合して前記第１リンクの回転を規制し、前記第１状態から前記フックが閉方向に所定位置まで押し込まれた場合に、前記第１リンクとの係合を解除し、
前記第１リンクはその解除を契機として前記第１ばねにより第１方向に回転して、係合する前記フックを開方向に回転させ、前記第１リンクが回転規制手段により前記第１方向の回転を停止させられると前記フックが前記第２状態となり、
前記フックが前記第２状態から開方向に印加されて前記第３状態に回転すると、前記第２リンクは、係合する前記フックの回転に応じて回転するとともに、前記フックと前記第１リンクとの係合を解除して前記第１リンクを前記第１方向とは逆の第２方向に回転させ、前記フックが前記第３状態をとる場合に、前記張出部は前記第１リンクに再び係合することを特徴とするフック装置。
【請求項２】
前記張出部は、前記フックが前記第１状態をとる場合に所定の位置で前記第１リンクと係合し、前記フックが前記第３状態をとる場合に前記所定の位置と異なる位置で前記第１リンクに係合することを特徴とする請求項１に記載のフック装置。
【請求項３】
前記フックが前記第３状態から自由状態となると、前記第２ばねにより前記フックが閉方向に回転するとともに、前記張出部は前記異なる位置から前記所定の位置へ移動して前記第１リンクとの係合により前記第１リンクの回転を規制し、前記フックが前記第１状態となることを特徴とする請求項２に記載のフック装置。
【請求項４】
前記張出部は、前記所定の位置で前記第１リンクのハートカム機構に係合することを特徴とする請求項３に記載のフック装置。
【請求項５】
前記第１状態において、前記第１ばねの付勢力は、前記第２ばねより大きいことを特徴とする請求項１から４のいずれかに記載のフック装置。
【請求項６】
前記第１リンクは、前記第３状態から前記第１状態になると、前記第１ばねにより前記第１方向に回転して前記フックに再び係合することを特徴とする請求項１から５のいずれかに記載のフック装置。
【発明の詳細な説明】
【技術分野】
【０００１】
本発明は、回転により開閉するフックを備えるフック装置に関する。
【背景技術】
【０００２】
車両の室内にはフックが設けられ、鞄や衣服などを掛けるために使用される。フックが使われない場合に突き出していると煩わしいため、フックを収納可能なフック装置が用いられる（特許文献１参照）。
【０００３】
特許文献１には、フック部材と、フック部材を収納するケースと、フック部材をケースに回転可能に支持する支軸と、フック部材を開き方向へ回転するように付勢するコイルばねと、フック部材を収納状態に保持し、かつ収納状態にあるフック部材がさらに押し込まれると、その保持状態を解除するハートカム機構とを有するフック装置が開示される。このフック装置ではハートカム機構における保持状態が解除されると、フック部材をコイルばねにより開き方向に回転する。
【先行技術文献】
【特許文献】
【０００４】
【特許文献１】特開２００３−２８１３０号公報
【発明の概要】
【発明が解決しようとする課題】
【０００５】
特許文献１に記載の技術では、ハートカム機構の保持状態が解除されると自動的にフック部材が回転して開くものの、フック部材が開いた後はフック部材を手動で戻す必要があった。
【０００６】
本発明はこのような課題に鑑みてなされたものであり、その目的は、ケースに収容したフックを開く操作と、開いたフックをケースに収容する操作を軽減するフック装置を提供することにある。
【課題を解決するための手段】
【０００７】
上記課題を解決するために、本発明のある態様のフック装置は、ケースと、ケースに回動可能に軸支され、ケースに収容されて閉じられた第１状態と、第１状態から開いて停止した第２状態と、第２状態よりさらに開いて停止した第３状態とを少なくともとるフックと、ケースに回動可能に軸支される第１リンクと、ケースに回動可能に軸支され、フックおよび第１リンクに係合可能な第２リンクと、フックを開方向に回転させるために第１リンクを付勢する第１ばねと、フックを閉方向に回転するよう付勢する第２ばねと、第１リンクに向かって張り出した張出部と、を備える。このフック装置において張出部は、フックが第１状態をとる場合に、第１リンクと係合して第１リンクの回転を規制し、第１状態からフックが閉方向に所定位置まで押し込まれた場合に、第１リンクとの係合を解除する。第１リンクはその解除を契機として第１ばねにより第１方向に回転して、係合するフックを開方向に回転させ、第１リンクが回転規制手段により第１方向の回転を停止させられるとフックが第２状態となる。フックが第２状態から開方向に印加されて第３状態に回転すると、第２リンクは、係合するフックの回転に応じて回転するとともに、フックと第１リンクとの係合を解除して第１リンクを第１方向とは逆の第２方向に回転させ、フックが第３状態をとる場合に張出部は第１リンクに再び係合する。
【０００８】
この態様によると、フックを閉方向に回転するように押し込むと第１ばねによりフックを開方向に自動的に回転させることができ、そして回転規制手段によりフックを第２状態で停止することができる。また、フックを第２状態からさらに開方向に印加するとフックと第１リンクの係合が解除されるため、第３状態においてフックを第２ばねにより閉方向に回転可能な状態にできる。
【発明の効果】
【０００９】
本発明によれば、フックをケースに収容可能なフック装置において、ケースに収容したフックを開く操作と、開いたフックをケースに収容する操作を軽減することができる。
【図面の簡単な説明】
【００１０】
【図１】実施形態に係るフック装置を示す図である。
【図２】実施形態に係るフック装置の分解図である。
【図３】実施形態に係るフック装置の断面図である。
【図４】ケースの斜視図である。
【図５】フックを説明するための説明図である。
【図６】第１リンクを説明するための説明図である。
【図７】第２リンクを説明するための説明図である。
【図８】ピンの斜視図である。
【図９】図９（ａ）は、第１ばねの斜視図であり、図９（ｂ）は、第２ばねの斜視図である。
【図１０】フックの動作を説明するための説明図である。
【図１１】第１状態における回転規制手段について説明するための説明図である。
【図１２】第１リンクの回転に応じて相対移動する張出部の移動軌跡を示す図である。
【図１３】図１３（ａ）は、図１０（ａ）におけるフック、第１リンクおよび第２リンクの関係を示し、図１３（ｂ）は、図１０（ｂ）におけるフック、第１リンクおよび第２リンクの関係を示す図である。
【図１４】図１４（ａ）は、図１０（ｃ）におけるフック、第１リンクおよび第２リンクの関係を示し、図１４（ｂ）は、図１０（ｄ）におけるフック、第１リンクおよび第２リンクの関係を示す図である。
【図１５】変形例の把手を示す図である。
【発明を実施するための形態】
【００１１】
図１は、実施形態に係るフック装置１０を示す図である。図１（ａ）はフック装置１０の正面図であり、図１（ｂ）はフック４０が閉じた状態のフック装置１０の斜視図であり、図１（ｃ）はフック４０が開いた状態のフック装置１０の斜視図である。なお、以下の図ではフック装置１０の内部構造が見えるようにケース２０の一部を切り欠いて示している。
【００１２】
フック装置１０は、たとえば車室の内壁にケース２０を埋め込むように取り付けられ、図１（ａ）に示すフック装置１０の正面が露出するように取り付けられる。フック装置１０は、図１（ｂ）に示すフック４０を押すと、図１（ｃ）に示すようにフック４０が自動的に回転して開き、鉤状のフック４０に物を掛けることができる。
【００１３】
図１（ｂ）に示すフック４０がケース２０に収容された状態がフック４０が閉じた状態であり、図１（ｃ）に示すようにフック４０がケース２０から突き出た状態がフック４０が開いた状態である。また、図１（ｂ）に示すフック４０がケース２０に収容された状態から、図１（ｃ）に示すケース２０から突き出る状態への回転が、フック４０の開方向への回転である。その逆の図１（ｃ）に示すケース２０から突き出た状態から図１（ｂ）に示すケース２０に収容される状態への回転が、フック４０の閉方向への回転である。
【００１４】
図２は、実施形態に係るフック装置１０の分解図である。また、図３は、実施形態に係るフック装置１０の断面図を示す。図３（ａ）は図１（ａ）に示すフック装置１０の線分Ａ−Ａの断面を示し、図３（ｂ）は図１（ａ）に示すフック装置１０の線分Ｂ−Ｂの断面を示す。ここで各図面に示される同一または同等の構成要素、部材には、同一の符号を付するものとし、適宜重複した説明は省略する。フック装置１０は、ケース２０、フック４０、第１リンク６０、第２リンク７０、ピン８０、第１ばね８４および第２ばね９０を備える。これらの各部品について以下の図面を用いて具体的に説明し、各部品の説明したあとに図２および図３に戻って各部品の関係について説明する。
【００１５】
図４は、ケース２０の斜視図を示す。図４（ａ）および図４（ｂ）は、正面側からみたケース２０であり、図４（ｃ）は裏面側からみたケース２０である。ケース２０は、ホルダ１０の他の部材を収容するように形成され、車室の内壁等に取り付けられる。
【００１６】
ケース２０は、開口部２４が形成されたケース本体部２２と、ケース本体部２２の側部に形成されたフック軸孔２６と、ケース本体部２２の側部に形成された第１リンク軸孔２８と、ケース本体部２２の側部に形成された第２リンク軸孔３０と、ケース本体部２２の底面３２と、フック軸孔２６の底面３２に設けられた第１ばね端係止部３４と、フック４０が開いた際に内部を覆うカバー部３６と、フック４０の開方向の回転を規制するストッパ部３８を有する。
【００１７】
図５は、フック４０を説明するための説明図である。図５（ａ）はフック４０の操作面をみた斜視図であり、図５（ｂ）はフック４０の軸周りに着目した斜視図であり、図５（ｃ）は、フック４０の掛止面を示す図である。
【００１８】
フック４０は、フック軸部４２と、フック軸部４２に回動可能に連結される操作板部４４と、操作板部４４の先端から突出するように形成された掛止部４６と、フック軸部４２と同軸に設けられ、第２ばね９０を収容するための第２ばね収容部４８と、フック軸部４２から径方向に延出する延出部５２と、延出部５２に設けられ、フック軸部４２と異なる軸位置において軸方向に突出する突起部５０と、を有する。
【００１９】
フック軸部４２は、ケース２０のフック軸孔２６に回動可能に支持される。操作板部４４の操作面に窪み部４４ａが形成され、使用者が窪み部４４ａを押圧する目標にできる。フック４０は、操作板部４４の掛止面側に第２ばね９０の一端を係止する第２ばね端係止部５４を有する。フック４０の後端部５６は、全開状態においてケース２０のストッパ部３８に当接する。
【００２０】
図６は、第１リンク６０を説明するための説明図である。図６（ａ）および図６（ｂ）は第１リンク６０の斜視図であり、図６（ｃ）は第１リンク６０の側面図である。第１リンク６０は、両端がケース２０の第１リンク軸孔２８に回動可能に支持される第１軸部６２と、第１軸部６２に設けられ、第１軸部６２から径方向に延出するアーム６４と、第１軸部６２の周方向に形成されたハートカム機構６６と、第１軸部６２にアーチ状に設けられた挿脱掛部６８と、を有する。
【００２１】
ハートカム機構６６は、ハート形状のハート段部６６ａと、その周囲に複数の段部を有する。複数の段部を形成する段差面は、ハート段部６６ａの谷部に位置する保持部６６ｂと、保持部６６ｂに連続して形成された第１誘導部６６ｃと、保持部６６ｂより一段下に形成され、ハート段部６６ａの下端に連続する第２誘導部６６ｄと、ハート段部６６ａの下端から第２誘導部６６ｄとは逆側で保持部６６ｂへとつながる第３誘導部６６ｅとを有する。
【００２２】
また、保持部６６ｂおよび第１誘導部６６ｃから第３誘導部６６ｅのそれぞれの座面となる段部の高さ、すなわち周面である段部の軸心からの距離が異なるように形成される。具体的には保持部６６ｂの座面に位置する第１段部６７ａは、第１誘導部６６ｃの座面に位置する第２段部６７ｂより低く、第２誘導部６６ｄの座面に位置する第３段部６７ｃより高い。第３誘導部６６ｅの座面に位置する第４段部６７ｄは第３段部６７ｃより高い。
【００２３】
図７は、第２リンク７０を説明するための説明図である。図７（ａ）は第２リンク７０の第２軸部７２側の斜視図であり、図７（ｂ）は図７（ａ）に示す第２リンク７０の裏側の斜視図であり、図７（ｃ）は第２リンク７０の上面図である。
【００２４】
第２リンク７０は、ケース２０の第２リンク軸孔３０に回動可能に支持される第２軸部７２と、第１リンク６０の挿脱掛部６８に挿脱可能な挿脱部７４と、フック４０の突起部５０に係合可能なフック係合部７６と、を有する。
【００２５】
第２リンク７０は全体が屈曲した形状を有し、第２軸部７２から挿脱部７４とフック係合部７６が直交するように伸びる。また、第２リンク７０はＶ字状に形成され、一端に挿脱部７４が設けられ、他端にフック係合部７６が設けられる。挿脱部７４とフック係合部７６は、軸方向において離間して配される。
【００２６】
図８は、ピン８０の斜視図である。図８（ａ）はピン８０の表側からみた斜視図であり、図８（ｂ）はピン８０の裏側からみた斜視図である。ピン８０はケース２０に取り付けられ、第１リンク６０のハートカム機構６６に向かって張り出す張出部８２を有する。張出部８２は、ピン８０の先端に形成され、ハートカム機構６６に係合するように形成される。なお、図８ではピン８０はケース２０と別体であるが、その態様に限られずケース２０と一体に形成されてよい。
【００２７】
図９（ａ）は、第１ばね８４の斜視図であり、図９（ｂ）は、第２ばね９０の斜視図である。第１ばね８４は、コイルばねであり、フック４０を開方向に回転させるために第１リンク６０を付勢する。第１ばね８４は、第１軸部６２と同軸に配置され、一端８６がケース２０に当接し、他端８８が第１リンク６０を第１方向に付勢する。第１ばね８４は第１リンク６０を第１方向に回転させることで、フック４０を開方向に回転させるよう作用する。
【００２８】
第２ばね９０は、コイルばねであり、フック４０の第２ばね収容部４８に配され、フック４０を閉方向に回転するよう付勢する。第２ばね９０は、フック４０と同軸に配置され、一端９２がケース２０に当接し、他端９４がフック４０に当接して閉方向に付勢する。
【００２９】
ここで図２および図３に戻って、これらの部材の関係を説明する。フック４０、第１リンク６０および第２リンク７０の回転軸は平行に配される。フック４０は回動可能に軸支されており、その回転は突起部５０によって第１リンク６０のアーム６４および第２リンク７０のフック係合部７６に伝達される。アーム６４は、フック４０と係合して第１軸部６２の第１方向の回転によってフック４０を開方向に回転可能である。
【００３０】
第１リンク６０の挿脱掛部６８には、第２リンク７０の挿脱部７４が係合し、第２リンク７０の回転が第１リンク６０に伝達される。図３（ａ）に示すようにピン８０はケース２０の底面３２に対して傾斜して設けられ、第１リンク６０に向かって張り出す。
【００３１】
図１０は、フック４０の動作を説明するための図である。図１０（ａ）において、フック４０は、ケース２０に収容して閉じられた第１状態である。フック装置１０を不使用の場合は、フック４０を閉じておく。
【００３２】
図１０（ｂ）は、使用者がフック４０の窪み部４４ａを押して、フック４０が第１状態から閉方向に所定位置まで押し込まれた状態を示す。すると、ハートカム機構６６における回転規制が解除される。
【００３３】
図１０（ｃ）は、第１状態からフック４０が開いて停止した第２状態を示す。第２状態は、フック４０が最大限開いた状態ではないものの、７〜８割程度開いているため、使用者はフック４０に被掛止物を掛けることができる。
【００３４】
図１０（ｄ）は、第２状態からフック４０がさらに開いた第３状態を示す。第２状態において被掛止物を掛けると、被掛止物の重さが印加されてフック４０がさらに開いて第３状態で停止する。フック４０は、ケース２０のストッパ部３８に当接して停止する。
【００３５】
この第３状態において、フック４０の突起部５０と、第１リンク６０のアーム６４との係合は外れている。第１リンク６０にフック４０を開方向に回転させる第１ばね８４が設けられているため、突起部５０とアーム６４の係合が外れると、第１ばね８４はフック４０に作用しない。したがって、第３状態においてフック４０に掛けていた被掛止物を除くと、すなわちフック４０が自由状態になると、フック４０が第２ばね９０により閉方向に回転して第１状態に戻る。このように、使用者がフック４０を１回押すだけでフック４０を開いて使用することができ、さらにフック４０の使用後は第３状態から自動的にフック４０が閉じるため、使用者のフック４０の開閉操作を軽減することができる。以下、具体的に動作中および各状態の各部材について説明する。
【００３６】
図１１は、第１状態における回転規制手段について説明するための説明図である。図１１（ａ）に示すようにピン８０はケース本体部２２に取り付けられ、底面３２に対して傾斜するように配される。
【００３７】
図１１（ｂ）はフック４０が第１状態にあり、この図に示すようにハートカム機構６６はピン８０の張出部８２に係合している。また第１リンク６０は第１ばね８４により第１方向８５に付勢される。アーム６４が第１方向８５に回転すると、アーム６４に係合する突起部５０をともに回転させて、フック４０を回転させようと働く。しかしながら第１リンク６０は、ピン８０の張出部８２とハートカム機構６６の保持部６６ｂとの係合により回転が規制される。これによりフック４０が閉じた第１状態で保持できる。
【００３８】
図１２は、第１リンク６０の回転に応じて相対移動する張出部８２の移動軌跡を示す図である。図１０（ａ）に示す第１状態において張出部８２は、保持部６６ｂに係合した第１位置１０２をとる。
【００３９】
次に図１０（ｂ）に示す操作板部４４を閉方向に押し込んだ状態では、張出部８２と保持部６６ｂとの係合は解除され、張出部８２は、第２誘導部６６ｄに係合した第２位置１０４をとる。第２位置１０４において張出部８２は、第１位置１０２における第１段部６７ａより一段低い第３段部６７ｃに移動したため、第２位置１０４から第１位置１０２に戻らない構成となっている。
【００４０】
次に図１０（ｃ）に示す第２状態となると、張出部８２は、ハート段部６６ａの下端に位置する第３位置１０６に移動する。第２状態においては張出部８２はハートカム機構６６から外れた状態であってよい。
【００４１】
次に図１０（ｄ）に示す第３状態となると、張出部８２は第３位置１０６から第３誘導部６６ｅに沿って第４位置１０８に移動し、第１誘導部６６ｃに係合する。このとき張出部８２は第４段部６７ｄより一段低い第２段部６７ｂに移動するため、第４位置１０８に移動した後は第３位置１０６に戻らないように構成される。
【００４２】
次に第３状態から第１状態に戻ると、張出部８２は第２段部６７ｂに沿ってスライドして、保持部６６ｂに係合する。以上のように張出部８２は、ハート段部６６ａの周囲を相対移動する。
【００４３】
図１３（ａ）は、図１０（ａ）におけるフック４０、第１リンク６０および第２リンク７０の関係を示し、図１３（ｂ）は、図１０（ｂ）におけるフック４０、第１リンク６０および第２リンク７０の関係を示す。
【００４４】
図１３（ａ）に示すフック４０が第１状態をとる場合に、第１リンク６０のアーム６４はフック４０の突起部５０と接触して係合状態にある。このとき第１リンク６０は、第１ばね８４により第１方向８５に付勢される。ここで、フック４０に取り付けられた第２ばね９０は、フック４０を閉方向に回転させるよう付勢するが、第２ばね９０より第１ばね８４の方が付勢力が強いため、フック４０の閉方向への回転は抑えられる。一方、第１ばね８４は、第２ばね９０に抗して第１方向８５に回転するよう第１リンク６０を付勢するが、第１リンク６０の回転は張出部８２と保持部６６ｂとの係合により規制される。
【００４５】
図１３（ｂ）に示す第１状態からフック４０が閉方向に所定位置まで押し込まれた場合に、張出部８２は第１リンク６０との係合を解除する。すなわち張出部８２は、図１２に示す第２位置１０４をとり、保持部６６ｂとの係合から外れる。第１リンク６０はその係合の解除を契機として第１ばね８４により第１方向８５に回転して、係合するフック４０を開方向に回転させる。そして、第１リンク６０が回転規制手段により第１方向８５の回転を停止させられるとフック４０が第２状態となる。
【００４６】
図１４（ａ）は、図１０（ｃ）におけるフック４０、第１リンク６０および第２リンク７０の関係を示し、図１４（ｂ）は、図１０（ｄ）におけるフック４０、第１リンク６０および第２リンク７０の関係を示す。
【００４７】
図１４（ａ）に示すようにケース２０の底面３２が回転規制手段として機能し、第２リンク７０および第１リンク６０の回転を停止し、第２状態となる。なお、ケース２０の底面３２には、第２リンク７０の挿脱部７４が当接し、挿脱部７４を介して挿脱掛部６８の第１方向の回転が停止される。なお第１リンク６０の挿脱掛部６８が底面３２に直接当接して回転が規制され、第２状態となってもよい。底面３２以外の回転規制手段を用いて第１リンク６０の回転を停止し、第２状態としてもよい。これにより、フック４０が使用可能となる状態まで、自動的に開かせることができる。
【００４８】
図１４（ｂ）に示すようにフック４０が第２状態から開方向に強制的に印加されて回転すると、第２リンク７０は、係合するフック４０の回転に応じて回転するとともに、フック４０と第１リンク６０との係合を解除して第１リンク６０を第１方向とは逆の第２方向に回転させる。フック４０はケース２０の枠に当接して回転が規制され第３状態となる。そして、フック４０が第３状態をとる場合には、張出部８２は図１２に示す第４位置１０８で第１リンク６０に再び係合する。
【００４９】
フック４０が第３状態から自由状態になると、第２ばね９０によりフック４０が閉方向に回転するとともに、第１リンクは６０第１ばね８４により第１方向に回転して、張出部８２は図１２に示す第４位置１０８から第１位置１０２へ相対移動して第１リンク６０との係合により第１リンク６０の回転を再び規制し、フック４０が第１状態となる。これにより、フック４０を使用した後、被掛止物をフック４０から取り外せばフック４０が自動的に閉じて使用前の状態に戻るため、フック４０を閉じる操作を省くことができる。
【００５０】
図１５は、変形例にかかるフック１４０を示す。フック１４０には中央に開口１４２が形成されている。その他の構成は同様である。これによりフック１４０にロープなどを掛けて用いることができる。
【００５１】
本発明は上述の各実施例に限定されるものではなく、当業者の知識に基づいて各種の設計変更等の変形を各実施例に対して加えることも可能であり、そのような変形が加えられた実施例も本発明の範囲に含まれうる。
【符号の説明】
【００５２】
１０  フック装置、  ２０  ケース、  ２２  ケース本体部、  ２４  開口部、  ２６  フック軸孔、  ２８  第１リンク軸孔、  ３０  第２リンク軸孔、  ３２  底面、  ３４  第１ばね端係止部、  ３６  カバー部、  ４０  フック、  ４２  フック軸部、  ４４  操作板部、  ４６  掛止部、  ４８  第２ばね収容部、  ５０  突起部、  ５２  延出部、  ５４  第２ばね端係止部、  ６０  第１リンク、  ６２  第１軸部、  ６４  アーム、  ６６  ハートカム機構、  ６６ｂ  保持部、  ６６ａ  ハート段部、  ６６ｃ  第１誘導部、  ６６ｄ  第２誘導部、  ６６ｅ  第３誘導部、  ６７ａ  第１段部、  ６７ｂ  第２段部、  ６７ｃ  第３段部、  ６７ｄ  第４段部、  ６８  挿脱掛部、  ７０  第２リンク、  ７２  第２軸部、  ７４  挿脱部、  ７６  フック係合部、  ８０  ピン、  ８２  張出部、  ８４  第１ばね、  ９０  第２ばね。
【図１】
0005788741.tif 000002
【図２】
0005788741.tif 000003
【図３】
0005788741.tif 000004
【図４】
0005788741.tif 000005
【図５】
0005788741.tif 000006
【図６】
0005788741.tif 000007
【図７】
0005788741.tif 000008
【図８】
0005788741.tif 000009
【図９】
0005788741.tif 000010
【図１０】
0005788741.tif 000011
【図１１】
0005788741.tif 000012
【図１２】
0005788741.tif 000013
【図１３】
0005788741.tif 000014
【図１４】
0005788741.tif 000015
【図１５】
0005788741.tif 000016